(57)【特許請求の範囲】
【請求項１】
温泉水を加熱する加熱装置と、加熱装置からの蒸気を冷却する冷却装置と、温室の下方の地中に埋設された温室加熱用配管とを備え、加熱装置から冷却装置を介して温室加熱用配管に送られた蒸気により温室を加熱するよう構成した温室加熱装置。
【請求項２】
冷却装置から温室加熱用配管に送られる蒸気を、一時的に貯留する蒸気室を、冷却装置と温室加熱用配管との間に備えた請求項１に記載の温室加熱装置。
【発明の詳細な説明】
【技術分野】
【０００１】
本発明は、温室加熱装置に関するものである。
【背景技術】
【０００２】
従来、様々の温泉水の濃縮方法が開発され、得られた濃縮液を肌荒れの予防等に利用するといった技術が開示されている。（下記特許文献１，２，３参照）
【０００３】
【特許文献１】特開２００２−２７３４１２号公報
【０００４】
【特許文献２】特開２００１−２１２５９５号公報
【０００５】
【特許文献３】特開２０００−２２６３３１１２号公報
【発明の開示】
【発明が解決しようとする課題】
【０００６】
しかしながら、上記各特許文献に記載の技術は、生成物である濃縮された温泉水を使用した際の効果が不十分であった。また、温泉水の有効な利用が十分に図れられたものではなかった。
【０００７】
本発明は、上記した従来の問題点に鑑みてなされたものであって、濃縮された温泉水を使用した際の効果が非常に高く、且つ、温泉水の有効な利用を図ることの可能な温室加熱装置の提供を目的とする。
【課題を解決するための手段】
【０００８】
上記目的を達成するために、本発明に係る温室加熱装置は、温泉水を加熱する加熱装置と、加熱装置からの蒸気を冷却する冷却装置と、温室の下方の地中に埋設された温室加熱用配管とを備え、加熱装置から冷却装置を介して温室加熱用配管に送られた蒸気により温室を加熱する構成にしてある。
【０００９】
また、前記構成において、冷却装置から温室加熱用配管に送られる蒸気を、一時的に貯留する蒸気室を、冷却装置と温室加熱用配管との間に備えたものである。
【発明の効果】
【００１０】
本発明に係る温室加熱装置によれば、温泉水を加熱する加熱装置と、加熱装置からの蒸気を冷却する冷却装置と、温室の下方の地中に埋設された温室加熱用配管とを備え、加熱装置から冷却装置を介して温室加熱用配管に送られた蒸気により温室を加熱するよう構成したので、温泉水を加熱装置で加熱し濃縮することで、有用な濃縮温泉水を得、さらに、加熱装置で発生した蒸気を冷却装置内で冷却して有用な蒸留水を得、重ねて、冷却装置からの蒸気を温室の下方に埋設された温室加熱用配管に送って温室を加熱することができる。従って、温室の加熱を効率よくできるだけでなく、同時に皮膚用薬液として非常に有効な温泉水の濃縮液、及び、飲料として有効な蒸留水を同時に得ることが可能であり、温泉水の有効な利用を十分に図ることが可能となる。
【００１１】
また、冷却装置から温室下方に埋設された温室加熱用配管に送られる蒸気を、一次的に貯留する蒸気室を冷却装置と温室加熱用配管の間に備えた場合には、冷却装置から温室加熱用配管に送られる蒸気を、所定温度及び所定流量に維持することができ、温室内の温度管理が非常に容易となる。
【発明を実施するための最良の形態】
【００１２】
本発明の最良の実施形態を図面に基づいて説明する。
図１は本発明の一実施形態に係る温室加熱装置の構成外略図である。
同図において、この実施形態に係る温室加熱装置１は、温泉水を加熱する左右２基の加熱装置２，２と、加熱装置２，２からの蒸気を冷却する冷却装置３と、冷却装置３からの蒸気を貯留する蒸気室４と、蒸気室４からの蒸気が送られる温室５の下方の地中に埋設された温室加熱用配管１０とを備え、加熱装置２から冷却装置３及び蒸気室４を介して温室加熱用配管１０に送られた蒸気により温室５を加熱するよう構成されている。
【００１３】
図２（ａ）は、加熱装置２の正面図、同図（ｂ）は同図（ａ）の縦断面図である。図より、加熱装置２は、ケーシング本体１５内の中央部に燃焼室１７が設けられ、ケーシング本体１５の前後左右の側壁２７及びケーシング本体１５の天井部を構成する上板２８と、燃焼室１７の前後左右の側壁２９及び燃焼室１７の天井部を構成する上板３０とは、所定間隔離間して構成されており、これにより、ケーシング本体１５と、燃焼室１７との間には、空間部３１が形成されている。
【００１４】
また、燃焼室１７の下方には前後方向に並列して複数の温泉水加熱用配管２０が設けられており、空間部３１と温泉水加熱用配管２０とは連通している。更に、ケーシング本体１５の正面の左下隅には、空間部３１に連通したバルブ２１が設けられ、空間部３１の下部に貯留する温泉水をこのバルブ２１から抜き取ることができる。
【００１５】
更に、ケーシング本体１５の後方であってケーシング本体１５の上板２８と略同じ高さ位置には、温泉水加熱用配管２０及び空間部３１下部に供給される温泉水を貯留する貯留槽９が設けられている。貯留槽９の下部には、配管１１が接続され、配管１１の他端側端部は、空間部３１に接続されている。この配管１１の空間部３１への接続高さ位置は、貯留槽９より低い位置であり、且つ、空間部３１の下部に満たされた温泉水の水位より、高い位置となっている。これにより、所定量の温泉水が貯留槽９から空間部３１に自重により供給されるようになっている。
【００１６】
更に、ケーシング本体１５の上部には、正面視六角形状の蒸気排出部１６が設けられ、蒸気排出部１６の上部には空間部３１において発生した蒸気を冷却装置３へと導く配管６が接続されている。
【００１７】
よって、貯留槽９から空間部３１の下部に温泉水が供給されると、空間部３１に連通した温泉水加熱用配管２０に温泉水が満たされる。そして、燃焼室１７内の燃焼により温泉水加熱用配管２０及び空間部３１下部の温泉水の温度が上昇し、蒸気が発生すると、この蒸気は空間部３１を上方へ進み、蒸気排出部１６に至り、配管６から冷却装置３へと流出する。
【００１８】
また、ケーシング本体１５の上部であり蒸気排出部１６の後方には、燃焼室１７の上部に連通し、燃焼室１７において発生した煙を上方に排出する喚起口１８が設けられている。
【００１９】
ここで、供給される温泉水の種類は、特に限定されないが、例えば、単純泉水 、食塩泉水、重曹泉水、石膏泉水、単純炭酸泉水、硫酸塩泉水、鉄泉水、硫黄泉水、重炭酸土類泉水、明礬泉水、酸性泉水、及び放射能泉水等が挙げられる。
【００２０】
これら各種温泉水の中でも、特に、重曹泉なる泉質を有する温泉水が好ましい。これにより、陽イオン成分として、ナトリウムイオン、カリウムイオン、又はマグネシウムイオン、陰イオンとして、塩素イオン、又は炭酸水素イオンなどの成分による、皮膚浄化、殺菌などの薬理作用を有する。
【００２１】
また、燃焼室１７に供給される燃料は、間伐材、木片などの木質系廃棄物、天然ガス、液化燃料等特に限定されないが、近年、処理が問題となっている木質系廃棄物を用いることが好ましい。これにより、新たに燃料を購入する必要がないので、コストダウンが図れ、更に産業廃棄物として出された木質系廃棄物を利用すれば、このような廃棄物の有効な活用が可能となる。
【００２２】
図３に、冷却装置３の斜視図を示す。冷却装置３は、上下が閉塞された円筒形状の左右２基の一次冷却槽３６（図３においては左側の一次冷却槽の図示省略）、立法体状の左右２基の二次冷却槽３７，３７、及び、直方体状の三次冷却槽３８を備え、一次冷却槽３６は配管６により加熱装置２と接続され、二次冷却槽３７は配管４０により一次冷却槽３６と、配管４１により三次冷却槽３８とそれぞれ接続され、三次冷却槽３８は配管７により蒸気室４と接続されている。
【００２３】
冷却装置３は、加熱装置２からの蒸気を、一次冷却槽３６、二次冷却槽３及び三次冷却槽３８の各槽内に一時的に貯留することで、蒸気圧を低下させると共に槽外に熱を放出することにより蒸気温度を低下させるようになっている。そして、一次冷却槽３６、二次冷却槽３及び三次冷却槽３８の各槽に接続された配管６，７，４０，４１はそれぞれ各槽の上面から５分の４乃至２分の１の高さ位置の側壁に接続されているので、各槽内で冷却された蒸気は液化し微量の混入物と共に槽下部に溜まるようになっている。
【００２４】
三次冷却槽３８には、正面左下部に設けられたバルブ４３により、槽内で凝縮した液体を槽外へ抜き取ることができる。ここで、抜き出された液体は、温泉水の蒸気を冷却して得られた蒸留水であり、ゴミなどの混入物を一次冷却槽３６及び二次冷却槽３７内において凝縮した液体と共に貯留させ、除去しているので、三次冷却槽３８から抜き取った蒸留水は非常にきれいな水となっており、飲料用水として利用することができる。
【００２５】
この三次冷却槽３８で得られた蒸留水は、微量の温泉中の有効成分を含み、温泉水中の各種成分が低濃度となっているので、飲料用水として摂取することが可能であり、毎日所定量を摂取すれば、肌荒れ、減量などの効果が得られる。
【００２６】
蒸気室４は、中空直方体状に形成され、図１に示すように、冷却装置３と配管７により接続され、配管８により温室５の下方に設けられた温室加熱用配管１０と接続されている。
【００２７】
温室５は、畑などに建てられ、室内を加熱し野菜や花卉の栽培に利用される建物であって、骨組みにビニールシートを被せ固定したいわゆるビニールハウスや、ガラス板により側壁及び屋根を構成した構造のもの等が挙げられる。
温室５の建てられた地面の地中には温室加熱用配管１０が複数並列されており、この温室加熱用配管１０に蒸気室４からの蒸気を送ることで、温室内を加熱するようになっている。
【００２８】
引続き、温室加熱装置１の動作につき、以下に説明する。
貯留槽９に貯留する温泉水が自重により空間部３１に供給され、温泉水加熱用配管２０および空間部３１下部に温泉水が満たされる。この状態で、燃焼室１７に点火し、温泉水を加熱する。燃焼時間は、一日２，３時間乃至１５時間程度で、約２週間乃至半年程度で温泉水を所定濃度に濃縮する。
【００２９】
温泉水加熱用配管２０及び空間部３１下部の温泉水は昇温し沸点に達し蒸気が発生する。発生した蒸気は空間部３１内を上方へと上昇し、蒸気排出部１６から配管６へと送られる。
【００３０】
供給した温泉水の容積に対する濃縮された温泉水の容積は、例えば、一日約１０時間加熱した場合では、１ヶ月間で約２０分の１となり、２ヶ月で約４０分の１となり、６ヶ月間で約１００分の１程度となる。
【００３１】
加熱装置２下部の濃縮された温泉水は、所定期間加熱されることで所定濃度に濃縮された濃縮温泉水として皮膚用薬液、腰痛用薬等の利用が可能である。即ち、濃縮温泉水は、アトピー性皮膚炎、火傷、切り傷、水虫、ダニ、皮膚癌等の皮膚用薬液として患部に直接塗布し、利用できるほか、入浴用添加剤として風呂湯に所定量添加すれば腰痛改善効果がある。
【００３２】
また、濃縮された温泉水は、濃縮液に、粉末状に形成した固形石鹸と、海水と温泉水との混合液から得られた塩分とを添加し、加熱して薬用石鹸を得、この薬用石鹸を用いることで皮膚癌用薬品として利用できる。
【００３３】
加熱装置２から配管６により冷却装置３に送られた蒸気は、一次冷却槽３６、二次冷却槽３７及び三次冷却槽３８において、それぞれ一部の蒸気が冷却され凝縮し液化する。三次冷却槽３８内下部に貯められた液体は飲料用の蒸留水として利用するために、所定量ごとにバルブ４３から取り出す。
【００３４】
三次冷却槽３８において凝縮しなかった蒸気は、配管７を通り蒸気室４へと流入する。蒸気室４では、蒸気を一旦貯留することで、温室加熱用配管１０に送られる蒸気の流量及び温度を所定の範囲に維持する。尚、蒸気室４は食品の蒸し料理などに利用することもできる。
【００３５】
蒸気室４からの蒸気は、配管８により温室加熱用配管１０に流入し、温室５内を加熱した後、排出される。
【００３６】
以上より、本実施形態に係る温室加熱装置１は、温泉水を加熱する加熱装置２と、加熱装置２からの蒸気を冷却する冷却装置３と、温室５の下方の地中に埋設された温室加熱用配管１０とを備え、加熱装置２から冷却装置３を介して配管に送られた蒸気により温室５を加熱するよう構成したので、温泉水を加熱装置２で加熱し濃縮することで、有用な濃縮温泉水を得、さらに、加熱装置２で発生した蒸気を冷却装置３内で冷却して有用な蒸留水を得、重ねて、温室５の下方に埋設された温室加熱用配管１０に送って温室を加熱する。よって、温室５の加熱を効率よく行うことができるだけでなく、同時に皮膚用薬液及び腰痛改善剤として非常に有効な温泉水の濃縮液及び、飲料として皮膚用薬液、減量に有効な蒸留水を同時に得ることが可能である。
【００３７】
また、冷却装置３から温室５下方に埋設された温室加熱用配管１０に送られる蒸気を、一旦貯留する蒸気室４を備えたので、冷却装置３から温室５下方に埋設された温室加熱用配管１０に送られる蒸気を、所定温度及び所定流量に維持することができ、温室内の温度を一定範囲に維持可能である。
【００３８】
そして、加熱装置２において所定濃度に濃縮した温泉水を主成分として含む皮膚用薬液は、温泉水に含まれる有効成分の濃度が高くなっているので、アトピー性皮膚炎、火傷、切り傷、ダニ、皮膚癌等様々な皮膚の炎症に対し有用に利用される。
【００３９】
更に、皮膚用薬液に、粉末状に形成した固形石鹸と、海水と温泉水との混合液から得られた塩分とを添加し、加熱して得られる薬用石鹸は、皮膚の炎症に有効に作用する温泉水に含まれる有効成分と、海水に含まれる豊富なミネラルとが、薬用石鹸中に含まれているので、薬効の高い成分を非常に手軽に利用できる。
【００４０】
更に、加熱装置２で加熱された温泉水の蒸気を冷却装置３で冷却し、三次冷却槽３８から得られた蒸留水である飲料は、毎日所定量摂取することにより体内が浄化され、肌荒れ、減量の効果がある。
【実施例１】
【００４１】
温泉水の源泉を空間部の水位が所定範囲内となるよう貯留槽から供給し、一日１０時間ずつ１ヶ月間加熱した。燃料としては間伐材等の木質系廃棄物を用いた。また、温泉水として、重曹泉である観音湯とおしどり湯の混合湯（所在地：和歌山県西牟婁郡上富田町朝来大内谷１８２２番地）を用いた。表１に本実施例で用いた濃縮前の温泉水１ｋｇ中に含まれる陽イオン成分を、表２に陰イオン成分を示す。
【００４２】
【表１】
0004892420.tif 000002
【００４３】
【表２】
0004892420.tif 000003
【００４４】
濃縮された温泉水をバルブ２１から取り出し、容積を測定したところ、貯留槽から供給した温泉水の容積に対する得られた濃縮された温泉水の容積の割合は２０分の１であった。この得られた濃縮された温泉水は無色透明であり、手でふれると粘りけのあるぬるっとした手触りであった。濃縮された温泉水１ｋg中の成分を原子吸光光度法により測定した結果を表３に示す。
【００４５】
【表３】
0004892420.tif 000004
【００４６】
濃縮温泉水をそのまま皮膚用薬液として用い、各症状の患部に塗布し、状況観察を行った。まず、アトピー性皮膚炎の症状のある患者１０人の患部に上記皮膚用薬液を１日１回直接塗布、若しくはタオルに上記皮膚用薬液を含浸させ、このタオルで患部を拭いたところ、塗布開始後２日目乃至１０日で１０人中７人のアトピー性皮膚炎が完治した。
【００４７】
次に、火傷を負った患者に対しては、火傷を負った直後及び３時間後の２回、３０秒間程度患部を上記皮膚用薬液に浸したところ、２日目には水泡がしぼみ、皮膚が剥離することなく完治した。
【００４８】
そして、虫さされについては、蚊に刺された部位に上記皮膚用薬液を直接塗布したところ、その直後より痒みがなくなり数分後には完治した。このように、所定濃度に濃縮した温泉水を主成分として含む皮膚用薬液を虫さされに用いた場合には、薬品を一切使用してないので、子供の誤飲の問題が生じるといったことがなく、安全性が高い。
【００４９】
更に、水虫の患者５０人に関し、午前中及び入浴後、上記皮膚用薬液を直接患部に塗布したところ、約１週間で５０人全員が完治した。
【００５０】
ダニによる症状のある患者の患部に上記皮膚用薬液を直接塗布した場合ところ、２日後痒みがなくなり完治した。同様に、肌荒れ、切り傷、毛虫等による炎症に対し、患部に直接上記皮膚用薬液を塗布することにより、いずれの症状においても改善が見られた。
【００５１】
ペットのダニに対しては、山でダニに刺された猟犬５０匹に対し、上記皮膚用薬液を患部に１日２，３回直接塗布したところ、約１週間で全ての猟犬のダニ傷が完治した。
【００５２】
腰痛の症状を持つ患者に対し、入浴時２００Ｌの湯に４Ｌの皮膚用薬液を添加し、入浴したところ、入浴直後より症状に改善がみられ、２日目には腰痛が完治した。また、このように上記皮膚用薬液を湯に添加することで、入浴後の体温の低下を防止する効果が認められた。
【実施例２】
【００５３】
加熱装置において、１日１０時間、２ヶ月半の間加熱することで容積が濃縮前の５０分の１とされた温泉水を皮膚用薬液として用い以下の手順で、薬用石鹸を製造した。即ち、市販の約１００ｇ固形石鹸１個をおろし金でおろし、粉末状とし、前記濃縮した温泉水である皮膚用薬液２００ｍｇ中に添加し、よく攪拌した。また、濃縮前の温泉水１６Ｌと、海水４Ｌとを混合後、加熱し、水分を蒸発させ約１０ｇの塩分を得た。この得られた塩分１０ｇを前記皮膚用薬液と粉末状固形石鹸との混合液に添加し、加熱し水分を蒸発させ、薬用石鹸を得た。
【００５４】
得られた薬用石鹸を用いて、皮膚癌と診断され、手術により腫瘍切除した患者が１年後再発した際に、１日１回患部を洗浄したところ、１週間で完治した。
【実施例３】
【００５５】
次に、三次冷却槽３８のバルブ４３から温泉水の蒸気を冷却して得られた液体を取り出した。取り出した液体１Ｌの成分分析結果を表４に示す。
【００５６】
【表４】
0004892420.tif 000005
【００５７】
この液体は温泉水の蒸留水であり、飲料用水として摂取可能である。この蒸留水を飲料として、２００人が毎日５Lずつ摂取したところ、全員が肌荒れ、肌表面の滑らかさ、皺、シミについて改善がみられた。また、１週間で３ｋｇの減量が達成された者がいた。
【００５８】
この冷却装置において温泉水の蒸気を冷却して得られた飲料は腐敗が殆ど進行しないため、長期保存する場合にも防腐剤を添加する必要がない。よって、体に害がなく、また、製造コスト削減が可能である。更に、当該飲料は苦味がないため非常に摂取しやすい。
【図面の簡単な説明】
【００５９】
【図１】本発明の一実施形態に係る温室加熱装置の構成概略図である。
【図２】前記温室加熱装置の加熱装置の正面図及び縦断面図である。
【図３】前記温室加熱装置の冷却装置の斜視図である。
【符号の説明】
【００６０】
１ 温室加熱装置
２ 加熱装置
３ 冷却装置
４ 蒸気室
５ 温室
１０ 温室加熱用配管
【図１】
0004892420.tif 000006
【図２】
0004892420.tif 000007
【図３】
0004892420.tif 000008